(57)【要約】【課題】  病院より支給される複数種類の薬を服用する管理サイクルごとに小分け（朝、昼、夕）収納する、容器本体は、透明又は半透明であり収納薬の目視確認ができることで、これからの高齢化社会に向かうことでもあり、飲み忘れや、重複服薬の防止管理が容易である、外出や旅行するときにも大きすぎず美観がよくバック等にも手軽に携帯できる手帳型ケースに構成した常用薬の携帯容器を提供する。【解決手段】  収納された薬が容器の外から目視確認できる透明又は半透明の複数個の容器本体101，201,310,401,510個々の上部に開閉自在な蓋体102,202,302,402,502を設け平板上の底板103,203,303,403に配置する、該底板103,203,303,403に突片部108,208,308を設けバインダー機能部104,204に係止できるように複数の穴105を設け、手帳型ケース106,206,406、の開閉基部107,207、にバインダー機能部104,204を設けて係止できるように構成した。【選択図】  図1
2009089745.tif 000002
【特許請求の範囲】
【請求項１】
透明又は半透明で、収納物が目視確認できる複数個の容器本体からなる該容器本体の、上部を個々の容器本体ごとに開閉自在な蓋体を設け平板状の底板に配置する、該底板に突片部を設けバインダー機能部に係止できるよう複数の穴を設け、手帳型ケースの開閉基部にバインダー機能部を設けて係止したことを特徴とする常用薬の携帯容器。
【請求項２】
前記、底板を手帳型ケースの開閉基部に設けたバインダー機能部にはさみこめるように、突片部を設け係止したことを特徴とする請求項1記載の常用薬の携帯容器。
【請求項３】
前記、底板を設けた複数個の容器本体と該容器本体に接続部材を介在させてなる、該、容器本体を列設して所要形状に形成した該、列設した容器本体の一側面に突片部を設け、手帳型ケースの開閉基部に設けたバインダー機能部に係止できるように形成したことを特徴とする請求項1または2記載の常用薬の携帯容器。
【請求項４】
前記、容器本体は、略長方体形状に形成した容器本体の内部に複数の仕切りを設けることで複数個の収納室を設ける、該、容器本体収納室個々の上部に、開閉自在な蓋体を備える、該容器本体の一側面に突片部を設けて、手帳型ケースの開閉基部に設けたバインダー機能部に係止できるように形成したことを特徴とする請求項1乃至3のいずれか1項に記載の常用薬の携帯容器。
【請求項５】
前記、平板状の底板に配置した複数個の容器本体を、手帳型ケースの一片に載設したことを特徴とする請求項1乃至4のいずれか1項に記載の常用薬の携帯容器。
【請求項６】
前記、略長方体形状に形成した容器本体の上部に開閉自在で該容器本体の全面を覆う外蓋体を備えて内部に複数の仕切りを設けてなる複数の収納室個々の上部に、開閉自在な蓋体を備えたことを特徴とする請求項4記載の常用薬の携帯容器。  
【発明の詳細な説明】
【技術分野】
【０００１】
本発明は、常用薬の携帯容器に関するものである。
【背景技術】
【０００２】
従来、薬の携帯用器は大きすぎたり収納されている薬が取り出し難いことがよくあった、
例えば、カレンダー状のシートに小袋状の収納室を配列したものが例である、
特許文献1には、円筒状容器の技術が開示されている、また、特許文献2には、複数種類の薬を収納できる区画室をもった技術が開示されている。
【特許文献１】特開2006-239328号公報
【特許文献２】実用新案登録第3085720号公報
【発明の開示】
【発明が解決しようとする課題】
【０００３】
外出するときや旅行のとき薬の携帯容器は大きすぎず、美観がよく、一回に服用する分を小分けした薬が、必要の時に取り出しやすくなければならない、例えば特許文献1では、円筒状携帯容器のためアルミパックされた錠剤、カプセル又はシートパックされた粒状の薬など包装されたものは取り出し難く、また容器も転がり安定にかける。
【０００４】
特許文献2では、健康食品等の種類分け収納には便利な構成となっているが、病院から出される数種類の常用薬を、一日服用回数分および数日分に小分けして、収納管理するには無理がある。
【０００５】
本発明は、上記不具合に鑑みてなされたものであり、個々の容器本体の内部に常用薬を受け入れるための、開閉自在な受け入れ口を設け、一回毎に服用する薬を小分けして収納し、必要なときに取り出すことのできる携帯容器を提供することを課題としている。
【課題を解決するための手段】
【０００６】
上記課題を解決するための本発明は、病院より出された服用しなければならない薬を一回分毎に小分けして、収納管理する携帯容器であって次のようである。
【０００７】
透明又は半透明で、収納物が目視確認できる複数個の容器本体からなる該容器本体の、上部を個々の容器本体ごとに開閉自在な蓋体を設け平板状の底板に配置する、該底板に突片部を設けバインダー機能部に係止できるよう複数の穴を設け、手帳型ケースの開閉基部にバインダー機能部を設けて係止したことを特徴とする常用薬の携帯容器である。
【０００８】
前記、底板を手帳型ケースの開閉基部に設けたバインダー機能部にはさみこめるように突片部を設け係止したことを特徴とする請求項1記載の常用薬の携帯容器である。
【０００９】
前記、底板を設けた複数個の容器本体と該容器本体に接続部材を介在させてなる、該、容器本体を列設して所用形状に形成した該、列設した容器本体の一側面に突片部を設け、手帳型ケースの開閉基部に設けたバインダー機能部に係止できるように形成したことを特徴とする請求項1または2記載の常用薬の携帯容器である。
【００１０】
前記、容器本体は、略長方体形状に形成した容器本体の内部に複数の仕切りを設けることで複数個の収納室を設ける、該、容器本体収納室個々の上部に、開閉自在な蓋体を備える、該容器本体の一側面に突片部を設けて、手帳型ケースの開閉基部に設けたバインダー機能部に係止できるように形成したことを特徴とする請求項1乃至3のいずれか1項に記載の常用薬の携帯容器である。
【００１１】
前記、平板状の底板に配置した複数個の容器本体を、手帳型ケースの一片に載設したことを特徴とする請求項1乃至4のいずれか1項に記載の常用薬の携帯容器である。
【００１２】
前記、略長方体形状に形成した容器本体の上部に開閉自在で該容器本体の全面を覆う外蓋体を備えて内部に複数の仕切りを設けてなる複数の収納室個々の上部に、開閉自在な蓋体を備えたことを特徴とする請求項4記載の常用薬の携帯容器である。
【発明の効果】
【００１３】
常用薬の携帯容器は手帳型ケースであり、外出や旅行のときも大きすぎず、美観がよくバック等にも手軽に携帯できる、個々の収納室には薬を服用分ごとに区分け収納され、しかも収納容器は透明又は半透明であるため容器の中が目視確認できることで、収納薬の飲み忘れや重複服用の防止管理が容易である。
【発明を実施するための最良の形態】
【００１４】
以下、添付図面を参照しながら本発明の好ましい実施の形態について詳述する。
図1は本発明の第一の実施形態に係る常用薬の携帯容器100の構成を示す斜視図である。
【実施例１】
【００１５】
容器本体101は数種類の常用する薬を1回分毎に服用する薬が収納される、複数個の容器本体101で、透明又は半透明であることから収納薬を目視確認して飲み忘れを防止するなどの管理が容易である、又個々の容器本体101上部には開閉自在な蓋体102を備え薬の出し入れが容易にできる公知の手段で構成されている、該容器本体101は平板上の底板103に配置してあり該底板103に突片部108を設け手帳型ケース106の開閉基部107に備えたバインダー機能部104に係止できるように複数の穴105を設け着脱自在に出来るように構成されている。
【実施例２】
【００１６】
図2は本発明の第2の実施形態に係る常用薬の携帯容器200の構成を示す斜視図である。
容器本体201を平板上の底板203に配置して該底板203に突片部208を設けて手帳型ケース206の開閉基部207に設けたバインダー機能部204に挟み込んである。
【実施例３】
【００１７】
本発明の第3の実施形態に係る常用薬の携帯容器の構成を説明する。図示しない、底板を設けた複数個の容器本体101,201、と該容器本体に接続部材を介在させて列設して所要形状に形成した該、列設した容器本体の一側面に突片部108,208を設け手帳型ケース106,206の開閉基部107,207に設けたバインダー機能部104,204に係止したものである。
【実施例４】
【００１８】
図3は本発明の第4の実施形態に係る常用薬の携帯容器300の構成を示す平面図である。
略長方体形状の容器本体310内部に複数の仕切り311を設け、複数個の収納室312を設ける、該収納室312個々の上部に開閉自在な蓋体302を備える、該容器本体310の一側面に突片部308を設けて前記手帳型ケース106,206の開閉基部107,207に備えたバインダー機能部104,204に係止出来るように形成したものである。
【実施例５】
【００１９】
図4は本発明の第5の実施形態に係る常用薬の携帯容器400の構成を示す平面図である。
平板上の底板403に配置した複数個の容器本体401を手帳型ケース406の一片に載設したものである。
【実施例６】
【００２０】
図5は本発明の第6の実施形態に係る常用薬の携帯容器500の構成を示す斜視図である。
略長方体形状に形成した容器本体510の上部に開閉自在で該容器本体510の全面を覆う外蓋体522を備えて内部に複数の仕切り511を設けてなる複数の収納室511個々の上部に開閉自在な蓋体502を備えたものである。
【実施例７】
【００２１】
本発明の第7の実施形態に係る常用薬の携帯容器の構成を説明する。図1の容器本体101、図2の容器本体201、図3容器本体310、の交換用の容器本体を備え前もってクスリを収納しておくことで長期の旅先でもあわてて、クスリを間違って入れることもなく、余裕を持ってバインダー機能部図1の104、図2の204、に取替えができるものである
【図面の簡単な説明】
【００２２】
【図１】本発明の第一の実施の形態に係る常用薬の携帯容器の構成を示す斜視図である。
【図２】本発明の第二の実施の形態に係る常用薬の携帯容器の構成を示す斜視図である。
【図３】本発明の第四の実施の形態に係る常用薬の携帯容器の構成を示す平面図である。
【図４】本発明の第五の実施の形態に係る常用薬の携帯容器の構成を示す平面図である。
【図５】本発明の第六の実施の形態に係る常用薬の携帯容器の構成を示す斜視図である。
【符号の説明】
【００２３】
100  本発明の第一の実施形態に係る常用薬の携帯容器の構成
101  容器本体
102  蓋体
103  底板
104  バインダー機能部
105  穴
106  手帳型ケース
107  開閉基部
108  突片部
200  本発明の第二の実施形態に係る常用薬の携帯容器の構成
201  容器本体
202  蓋体
203  底板
204  バインダー機能部
206  手帳型ケース
207  開閉基部
208  突片部
300  本発明の第四の実施形態に係る常用薬の携帯容器の構成
302  蓋体
303  底板
308  突片部
310  容器本体
311  仕切り
312  収納室
400  本発明の第五の実施形態に係る常用薬の携帯容器の構成
401  容器本体
402  蓋体
403  底板
406  手帳型ケース
407  開閉基部
500  本発明の第六の実施形態に係る常用薬の携帯容器の構成
502  蓋体
510  容器本体
511  仕切り
512  収納室
522  外蓋体
【図１】
2009089745.tif 000003
【図２】
2009089745.tif 000004
【図３】
2009089745.tif 000005
【図４】
2009089745.tif 000006
【図５】
2009089745.tif 000007